(57)【要約】      （修正有）【課題】飲料容器に添加物をこぼさず容易に混合し、甘さが調節できる容器の提供。【解決手段】蓋部７によって密封された容器本体１の外壁、あるいは蓋部の任意位置に、仮蓋１０を形成する開口部４を設け容器本体、あるいは蓋部７の開口部４のあるところに外袋２を設け、外袋２の内壁に前記開口部４に穴を開けるボタン６を設け、飲料の甘さを調節する。【選択図】図２
2006347623.tif 000002
【特許請求の範囲】
【請求項１】
蓋部によって密封された容器本体の外壁、あるいは蓋部の任意位置に、仮蓋を形成する開口部を設け容器本体、あるいは蓋部の開口部のあるところに外袋を設け、外袋の内壁には、前記開口部に穴を開けることができる、ボタンが設けられていることを特徴とする、甘さを調節できる容器。
【発明の詳細な説明】
【技術分野】
【０００１】  本発明は、容器本体に外袋を設けその中にガムシロップやミルク等を入れ、容器本体と外袋を開封せずに容器本体に使用者が好みの、量を配合することが出来る飲料容器に関するものである。
【背景技術】
【０００２】  従来、プラスチック等の容器本体の上部に、アルミ箔の内蓋が接着密封されてあり、容器本体の上部にプラスチック等のキャップが設けられていて、そのキャップの中にポーションパック等が入れられていた。
【発明の開示】
【発明が解決しようとする課題】
【０００３】  そのために、次のような問題点があった。
（イ）従来、飲料容器に入っていた飲料等の甘さを自分の好みの甘さに調節しようとするときは、ポーションパックに入っているガムシロップやミルク等、使用者が使用する分のポーションパックを個別に購入したり、付属されているものを揃える必要があった。
（ロ）使用するときには飲料容器本体と、ポーションパックの全てを開封しなければならかった。
（ハ）ポーションパック使用後には置き場に困ったり、少量しか使用しない時には、簡単に倒れて中身がこぼれて、後の掃除が大変だった。
（ニ）付属のストロー等を利用して混ぜていても飲料容器本体の中身がこぼれたり、ガムシロップの濃度が濃いとしっかりと混ざらなく、極端に甘い飲料を飲み込むときがあった。
（ホ）自動車や電車、バス等乗り物、特に揺れるものに乗っているときは、開封後のポーションパックの置き場もなく、ガムシロップやミルクなどが手に付着したり、乗り物などの揺れで容器本体の中身がすぐにこぼれて、大変な思いをしていた。
【課題を解決するための手段】
【０００４】  蓋部によって密封された容器本体の外壁、あるいは蓋部の任意位置に、仮蓋を形成する開口部を設け容器本体、あるいは蓋部の開口部のあるところに外袋を設け、外袋の内壁には、前記開口部に穴を開けることができる、ボタンが設けられていることを特徴とする、甘さを調節できる容器。
本発明は、以上の構成よりなっている。
【発明の効果】
【０００５】  （イ）本発明を使用することにより、ガムシロップやミルク等が本発明と一体になっているので、ガムシロップやミルク等を個別に購入する必要もない。
（ロ）個別に開封しなくても密封状態のまま、使用者が好みの味に調節ができ、中身を混合するときも密封状態のまま容器本体を振って混合させるので、ガムシロップやミルク等が手に付着することもなく使用できる。
（ハ）図３に示すとおり、ガムシロップ等を入れた後は、外袋（２）の内側に設けているボタン部（６）には周溝（８）が設けられているのでボタン部（６）を強く押し固定させる事で、容器本体にそれ以上ガムシロップ等が流入しないように防ぐ事ができる。
（ニ）自動車や電車、バス等乗り物など揺れる乗り物に乗っていても、中身がこぼれる事を気にせず使用することができる。
（ホ）ダイエット中の人や糖尿病等、糖分を制限されている人にとって無糖のままでも使用することができる。
（ヘ）図４に示すとおり視覚的に甘さの加減がわかるように外袋（２）には目印となる目盛り（１２）を印刷することにより、甘さの調節がしやすくなる。
（ト）図６に示すとおり、外袋（２Ａ）に仕切り（９）を設けることにより複数の内容物を添付させることができる。
（チ）使用後は容器一体のまま廃棄することができる。
【発明を実施するための最良の形態】
【０００６】  以下、本発明の第一の実施の形態について説明する。
（イ）蓋部（７）によって密封された、容器本体（１）の周壁に、可撓性の軟質プラスチック等からなる、外袋（２）の周縁に形成された接着片（５）を接着部（１１）に接着固定し、一体成型されたボタン部（６）が押されたときに、容器本体（１）と貫通するようにフィルム（１０）を張った穴に、開口部（４）を設ける。
（ロ）外袋（２）にガムシロップ（３）を入れ容器本体（１）と接着密封させる。
本発明は、以上の構成よりなっている。【０００７】  本発明を使用するときは、図７にあるようにボタン部（６）を押して容器本体（１）に設けられている開口部（４）を外袋（２）と貫通させ、外袋（２）を指で押し外袋（２）に圧力をかけ、容器本体（１）にガムシロップ（３）を使用者の好みの量を容器本体（１）に入れる、中身を混合させるときは再びガムシロップ（３）がそれ以上入り込まないように、ボタン部（６）を押しながら、容器本体（１）を振って混合させ、その後ストローを挿して飲料を飲む。【０００８】  以下、本発明の第二の実施の形態について説明する。
（イ）蓋部（７）によって密封された、容器本体（１）の周壁に、可撓性の軟質プラスチック等からなる、外袋（２）の周縁に形成された接着片（５）を接着部（１１）に接着固定し、一体成型されたボタン部（６）が押されたときに、容器本体（１）と貫通するようにフィルム（１０）を張った穴に、開口部（４）を設ける。
（ロ）ボタン部（６）には、開口部（４）に係止できるように形成された周溝（８）を設ける。
（ハ）外袋（２）にガムシロップ（３）を入れ容器本体（１）と接着密封させる。
本発明は、以上の構成よりなっている。【０００９】  本発明を使用するときは、図７にあるようにボタン部（６）を押して容器本体（１）に設けられている開口部（４）を外袋（２）と貫通させ、外袋（２）を指で押し外袋（２）に圧力をかけ、容器本体（１）にガムシロップ（３）を使用者の好みの量を容器本体（１）に入れる、中身を混合させるときは再びガムシロップ（３）がそれ以上入り込まないように、ボタン部（６）を強く押し込み周溝（８）を開口部（４）に固定し、容器本体（１）を振って、混合させ、その後ストローを挿して飲料を飲む。【００１０】  以下、本発明の第三の実施の形態について説明する。
（イ）蓋部（７ａ）によって密封された、容器本体（１ａ）の周壁に、可撓性の軟質プラスチック等からなる、外袋（２Ａ）の周縁に形成された接着片（５）を接着部（１１ａ）に接着固定し、一体成型されたボタン部（６ａ）（６ｂ）が押されたときに、容器本体（１ａ）と貫通するようにフィルム（１０ａ）（１０ｂ）を張った穴に、開口部（４ａ）（４ｂ）を設ける。
（ロ）開口部（４ａ）（４ｂ）の中心部位になるように外袋（２Ａ）の中心部位にも仕切り（９）を設ける。
（ハ）左外袋（２ａ）にガムシロップ（３）と右外袋（２ｂ）にミルク（１３）を入れ容器本体（１ａ）と接着密封させる。
本発明は、以上の構成よりなっている。【００１１】  本発明を使用するときは、図６にあるようにボタン部（６ａ）（６ｂ）個別に押して容器本体（１ａ）に設けられている開口部（４ａ）（４ｂ）左外袋（２ａ）と右外袋（２ｂ）と貫通させ、左右それぞれの左外袋（ａ）右外袋（２ｂ）を指で押して圧力をかけ、使用者の好みの量を容器体（１ａ）にガムシロップ（３）ミルク（１３）を入れる、中身を混合るときは再び左右それぞれの、ボタン部（６ａ）（６ｂ）を強く押し込み溝（８）を開口部（４ａ）（４ｂ）に固定し、容器本体（１ａ）を振って合させ、その後ストローを挿して飲料を飲む。
【図面の簡単な説明】
【００１２】
【図１】  本発明の正面図
【図２】  本発明の側面断面図
【図３】  本発明の第二の実施の形態の側面分解断面図
【図４】  本発明の外袋斜視図
【図５】  本発明の第三の実施の形態の容器本体正面図
【図６】  本発明の第三の実施の形態の正面図
【図７】  本発明のボタン部を押して、容器本体と貫通させている使用図
【図８】  本発明の外袋を押してガムシロップを容器本体に流入させている使用図
【符号の説明】
【００１３】１、１ａ      容器本体
２、２Ａ      外袋
２ａ          左外袋
２ｂ          右外袋
３            ガムシロップ
４            開口部
４ａ          開口部
４ｂ          開口部
５            接着片
６            ボタン部
６ａ          ボタン部
６ｂ          ボタン部
７、７ａ      蓋部
８            周溝
９            仕切り
１０          フィルム
１０ａ        フィルム
１０ｂ        フィルム
１１、１１ａ  接着部
１２          目盛り
１３          ミルク
【図１】
2006347623.tif 000003
【図２】
2006347623.tif 000004
【図３】
2006347623.tif 000005
【図４】
2006347623.tif 000006
【図５】
2006347623.tif 000007
【図６】
2006347623.tif 000008
【図７】
2006347623.tif 000009
【図８】
2006347623.tif 000010